(57)【要約】【課題】防水の信頼性を向上できるとともに、製造し易い放電灯点灯装置を提供することにある。【解決手段】両端部に夫々差込み形の電線コネクタ37、38が実装されるとともに、これらコネクタ37、38間に放電灯点灯回路をなす各種の電気部品33〜36が実装されたプリント配線基板３２と、この基板３２を両端支持する一対の端部材41と、プリント配線基板３２を収容する防水筒５２とを具備する。端部材41は、電線コネクタ37、38に挿入される電線が液密に挿通される軟質材料製の防水部材45を備える。この端部材41をプリント配線基板３２の端部に被せて配置する。防水筒５２は、その周壁が液密構造であってかつ両端が夫々開口された筒状をなす。この防水筒５２の開口された両端部を一対の端部材41に夫々液密に嵌合する。【選択図】      図２
2005259893.tif 000002
【特許請求の範囲】
【請求項１】
両端部に夫々差込み形の電線コネクタが実装されるとともに、これらコネクタ間に放電灯点灯回路をなす各種の電気部品が実装されたプリント配線基板と；
電線コネクタに挿入される電線が液密に挿通される軟質材料製の防水部材を備えて、プリント配線基板の端部を収容して設けられる一対の端部材と；
周壁が液密構造であってかつ両端が夫々開口された筒状をなし、プリント配線基板を収容するとともに前記開口された両端部が一対の前部材に液密に嵌合された防水筒と；
を具備したことを特徴とする放電灯点灯装置。
【請求項２】
両端部に夫々差込み形の電線コネクタが実装されるとともに、これらコネクタ間に放電灯点灯回路をなす各種の電気部品が実装されたプリント配線基板と；
電線コネクタに挿入される電線が液密に挿通される軟質材料製の防水部材を備えて、プリント配線基板の端部を収容して設けられる一対の端部材と；
周壁が液密構造であってかつ両端が夫々開口された筒状をなし、プリント配線基板を収容するとともに前記開口された両端部が一対の端部材に液密に嵌合された防水筒と；
プリント配線基板、一対の端部材、及び防水筒により組立てられた回路モジュールを収容するベースケースと；
回路モジュールを覆ってベースケースと組合わされてケース体を形成するとともに、一対の端部材をベースケースとの間に挟着する押え部を有したカバーケースと；
を具備したことを特徴とする放電灯点灯装置。
【請求項３】
シャーシと；
このシャーシに取付けられた請求項１又は２に記載の放電灯点灯装置と；
シャーシに取付けられた放電灯ソケットと；
このソケットに支持されて放電灯点灯装置で点灯される放電灯と；
を具備したことを特徴とする照明器具。
【発明の詳細な説明】
【技術分野】
【０００１】
本発明は、蛍光ランプ等の放電灯を点灯させる放電灯点灯装置、及びこの装置を備えた蛍光灯照明器具等の照明器具に関する。
【背景技術】
【０００２】
屋外や高湿度環境で使用される照明器具に組込まれる放電灯点灯装置は防水性が求められる。このために、各種の電気部品が実装されたプリント配線基板を収容するケースを上下二つの溝形体で形成して、これら溝形体同士の長手方向に延びる係合部をシリコーン接着剤のような硬化性でかつ防水性を有する接着剤を用いて接着し、こうして組立てられたケースの両端開口を夫々ゴム製端板で塞ぎ、これら端板の周縁を硬化性でかつ防水性を有する接着剤を用いてケースの開口部に接着して、防水をした蛍光灯電子安定器が知られている（例えば、特許文献１参照。）。
【特許文献１】実願平５−６０５５号（実開平６−６０１７９号）のＣＤ−ＲＯＭ（段落０００７、００１０−００１３、図１−図７）
【発明の開示】
【発明が解決しようとする課題】
【０００３】
ケースを用いて防水をした特許文献１の技術では、防水のために、ケースに端板を接着することの外に、上下の溝形体を組立ててケースとするために２箇所の接着を要する。このケースの組立てを伴う接着は、手間が掛かり、製造性を向上する場合に不利であるので、その改善が求められている。しかも、接着剤を用いて防水をする構成では、防水のための接着箇所が多いほど接着不良を生じて防水性能が損なわれる確率が上がるので、その改善も求められている。
【０００４】
本発明の目的は、製造し易く防水の信頼性を向上できる放電灯点灯装置、及びこの装置を備えた照明器具を提供することにある。
【課題を解決するための手段】
【０００５】
前記課題を解決するために、請求項１の発明に係る放電灯点灯装置は、両端部に夫々差込み形の電線コネクタが実装されるとともに、これらコネクタ間に放電灯点灯回路をなす各種の電気部品が実装されたプリント配線基板と；電線コネクタに挿入される電線が液密に挿通される軟質材料製の防水部材を備えて、プリント配線基板の端部を収容して設けられる一対の端部材と；周壁が液密構造であってかつ両端が夫々開口された筒状をなし、プリント配線基板を収容するとともに前記開口された両端部が一対の端部材に液密に嵌合された防水筒と；を具備している。
【０００６】
この発明及び以下の発明で、差込み形の電線コネクタとは、電線の芯をなす電気導体が挿入されることにより、電気導体を鎖錠する鎖錠部を有して、この鎖錠部により電気導体を電気的かつ機械的に接続する機能を有しているコネクタを指している。この発明及び以下の発明で、防水筒の周壁が液密構造であるとは、周壁がその周方向に継ぎ目を有さないで一体に形成された構成、又は、継ぎ目はあるが、その継ぎ目に防水テープが接着されていて実質的に継ぎ目がないと同様な構成、或いは継ぎ目となる側縁同士が重なっているとともに予め接着されて実質的に継ぎ目がないと同様な構成等を指しているが、継ぎ目となる側縁同士が単に重なっただけで筒状をなす形態は含んでいない。又、この発明及び以下の発明で、防水筒は、弾性変形が可能な薄いフィルム状とすることが、軽量化及び内部へのプリント配線板の収容を容易にするため、並びに端部材への密接性を高めるために好ましいが、これに限らず硬質であってもよい。更に、防水筒は、部品点数を削減するために絶縁性を有することが好ましいが、これに制約されず、絶縁性を有さない場合はフィルム状の絶縁部材を防水筒の内側に併用することが可能である。又、この発明及び以下の発明で、防水筒が端部材に液密に嵌合されるとは、端部材の外周面あるいは内周面とこれに嵌合された防水筒の端部との嵌合部で液密が保証されていることを指しており、例えば後述の実施形態で説明する構成の他、防水筒の端部を端部材に接着剤で固定すること等により実現できる。端部材は、全部が防水材であっても良いし、一部分が防水材であってもよい。
【０００７】
この請求項１の発明では、防水筒自体が、その両端開口を除いて防水性を有しているので、プリント配線基板を収容した防水筒の両端部を端部材に夫々液密に嵌合させるだけで、プリント配線基板を確実に防水できる。これにより、防水措置を要する箇所が減るに伴い防水不良を生じる可能性がある場所が減るので、防水性能が損なわれる確率を下げることができるとともに、製造性を向上できる。
【０００８】
又、前記課題を解決するために、請求項２の発明に係る放電灯点灯装置は、両端部に夫々差込み形の電線コネクタが実装されるとともに、これらコネクタ間に放電灯点灯回路をなす各種の電気部品が実装されたプリント配線基板と；電線コネクタに挿入される電線が液密に挿通される軟質材料製の防水部材を備えて、プリント配線基板の端部を収容して設けられる一対の端部材と；周壁が液密構造であってかつ両端が夫々開口された筒状をなし、プリント配線基板を収容するとともに前記開口された両端部が一対の端部材に液密に嵌合された防水筒と；プリント配線基板、一対の端部材、及び防水筒により組立てられた回路モジュールを収容するベースケースと；回路モジュールを覆ってベースケースと組合わされてケース体を形成するとともに、一対の端部材をベースケースとの間に挟着する押え部を有したカバーケースと；を具備している。
【０００９】
この発明では、請求項１に記載のプリント配線基板、一対の端部材、及び防水筒により組立てられた回路モジュールを備えているので、本発明の課題を解決できる。しかも、この回路モジュールをベースケースとカバーケースとからなるケース体に収容したので、このケース体によって、回路モジュールを押え付けて動かないように保持できるとともに、保護することができる。
【００１０】
又、前記課題を解決するために、請求項３の発明に係る照明器具は、シャーシと；このシャーシに取付けられた請求項１又は２に記載の放電灯点灯装置と；シャーシに取付けられた放電灯ソケットと；このソケットに支持されて放電灯点灯装置で点灯される放電灯と；を具備している。
【００１１】
この発明では、製造し易く防水の信頼性を向上できる請求項１又は２に記載の放電灯点灯装置を備えた照明器具を提供できる。
【発明の効果】
【００１２】
請求項１の発明によれば、製造し易く防水の信頼性を向上できる放電灯点灯装置を提供できる。
【００１３】
請求項２の発明によれば、製造し易く防水の信頼性を向上できるとともに、回路モジュールを動かないように保持しかつ保護できる放電灯点灯装置を提供できる。。
【００１４】
請求項３の発明によれば、製造し易く防水の信頼性を向上できる請求項１又は２に記載の放電灯点灯装置を備えた照明器具を提供できる。
【発明を実施するための最良の形態】
【００１５】
図１から図８を参照して本発明の一実施形態を説明する。
【００１６】
図１に示す照明器具１は、下面が開放した細長い箱状のシャーシ２を備え、このシャーシ２の下面は反射板３で塞がれている。シャーシ２の長手方向両端部には放電灯ソケットとして例えば蛍光ランプソケット４が夫々取付けられ、これらソケット４は反射板３の長手方向両端部を下方に貫通している。シャーシ２内にはいわゆる電子安定器と称される放電灯点灯装置（以下、点灯装置と略称する。）５が収容されている。この点灯装置５により点灯される放電灯例えば直管形蛍光ランプ６が、その長手方向両端を夫々蛍光ランプソケット４に取外し可能に接続して支持されて、反射板３の下側に配置されている。
【００１７】
次に、点灯装置５を図２から図７を参照して説明する。この点灯装置５は、図３から図６等に示すようにケース体１１と、これに収容された回路モジュール３１とを具備している。ケース体１１はシャーシ２への取付けと回路モジュール３１の保護を担っている。回路モジュール３１は、インバータ制御により電力変換を行って蛍光ランプ６の点灯制御を担っている。
【００１８】
ケース体１１は、ベースケース１２とカバーケース２１とを連結して、細長い箱形状に形成されている。これらベースケース１２とカバーケース２１とは、金属、例えば熱伝導性に優れる軽金属、具体的にはアルミニューム合金製である。
【００１９】
図３から図６等に示すようにベースケース１２は、平板状のベース主壁１２ａ、及びこのベース主壁１２ａの幅方向両側から折り曲げられてベース主壁１２ａの片面に突出するベース側壁１２ｂを有して、断面コの字状をなしている。ベース主壁１２ａの長手方向両端部には夫々取付け孔１３が開けられているとともに、１以上例えば２個のストッパ突起１４が夫々切起こされている。このベースケース１２は、その内側から取付け孔１３に通されてシャーシ２にねじ込まれた図示しないねじを介して図３に示した姿勢とは上下逆様の姿勢でシャーシ２に取付けられる。この取付け状態で、点灯装置５の熱をシャーシ２に放出できるようにベース主壁１２ａはシャーシ２に密接される。又、ベース側壁１２ｂの夫々には、その長手方向両端部に位置してカバーケース２１との連結を担う係止孔１５が設けられているとともに、これら係止孔１５間に位置して（図２参照）カバーケース２１の長手方向へのずれ止めを担う係止溝１６が切り欠かれている。
【００２０】
カバーケース２１は、例えばベースケース１２より短く、このベースケース１２に被さって設けられる。カバーケース２１は、そのカバー主壁２１ａの幅方向両側にベース側壁１２ｂの外側に重なるカバー側壁２１ｂを有している。これらカバー側壁２１ｂの夫々には、その長手方向両端には係止爪２２が夫々設けられているとともに、これら係止孔１５間に位置して（図２参照）位置決め突片２３が設けられている。カバー主壁２１ａの長手方向両端部には押え部２４が夫々設けられている。押え部２４は例えばカバー主壁２１ａの長手方向両端を裏側に折り曲げた縁で形成されている。なお、この折り曲げ縁に代えて、カバー主壁２１ａの長手方向両端部の一部を裏側に変形させて設けた凸部を押え部２４とすることもでき、或いはカバー主壁２１ａの長手方向両端裏面にピースを取付けて、これを押え部２４とすることもできる。
【００２１】
このカバーケース２１とベースケース１２とは以下の手順で連結される。まず、ベースケース１２に対して位置合わせしてカバーケース２１を被せる。次に、各係止爪２２を変形させて対向している係止孔１５に入り込ませて引掛ける。この引掛りでカバーケース２１がベースケース１２に対して上下方向に動かないように連結される。この後、各位置決め突片２３を折り曲げて係止溝１６の縁に引掛ける。この引掛りでカバーケース２１がベースケース１２の長手方向に動かないように連結される。こうしてケース体１１が組立てられた状態は図３に示されている。
【００２２】
回路モジュール３１は、図４から図７に示すようにプリント配線基板３２と、防水筒５２と、一対の端部材４１っと、液密手段として機能する一対のカバーチューブ５５とを備えている。
【００２３】
図２、図５、図６に示すようにプリント配線基板３２は、一方の板面を部品実装面とし、他方の面に配線層（図示しない）を有している。このプリント配線基板３２の幅は一対のベース側壁１２ｂの対向面間の離間距離に略等しい。プリント配線基板３２の少なくとも部品実装面には、配線層とともに点灯回路をなすための部品である、スイッチングトランジスタ３３、トランス３４,３５、及びその他各種の電気部品３６とともに、入力用電線コネクタ３７、及び出力用電線コネクタ３８等が実装されている。
【００２４】
図２に示すように回路モジュール３１の長手方向一端側に配置された各種の電気部品により、入力用電線コネクタ３７を経て商用交流電源が印加される入力回路部３１ａが形成されている。回路モジュール３１の長手方向他端側に配置された各種の電気部品により、出力用電線コネクタ３８を経て蛍光ランプ６に器具内配線を介して接続される出力回路部３１ｂが形成されている。入力回路部３１ａで作られた直流を高周波に変換する電力変換用回路部品としてのスイッチングトランジスタ３３は、入力回路部３１ａと出力回路部３１ｂとの間に配置されている。
【００２５】
このスイッチングトランジスタ３３は、アルミニューム合金製の放熱板３９を部品実装面との間に挟んでプリント配線基板３２に取付けられている。図６に示すように放熱板３９は部品実装面に対し直角となる板部３９ａを有し、この板部３９ａはプリント配線基板３２の一側からはみ出している。これにより、回路モジュール３１がベースケース１２に収容された状態で、板部３９ａは、一方のカバー側壁２１ｂの内面に防水筒５２を挟んで熱伝導的に配置される。したがって、スイッチングトランジスタ３３の熱はケース体１１に熱伝導して放出されるようになっている。
【００２６】
一対の端部材４１は、いずれも合成樹脂等の電気絶縁材料で一体成形されており、図５図６で代表して示すように周壁４１ａと、この周壁４１ａの一端を塞いだ端壁４１ｂとを有して、他端が開口されたキャップ状をなしている。端部材４１はプリント配線基板３２の端部を収容できる大きさに作られていて、その内部には基板支持部４２が設けられている。図２及び図６に例示するように基板支持部４２は例えば周壁４１ａの側部内面の段部で作られている。
【００２７】
端部材４１は少なくとも１つの防水部材４５を有している。つまり、入力側に配置される一方の端部材４１には１つの防水部材４５が設けられ、出力側に配置される他方の端部材４１には３つの防水部材４５が設けられる。
【００２８】
防水部材４５はゴム又はエラストマ等のような軟質で弾性を有する材料からなり、図４及び図５に示すように筒部４５ａと、この筒部４５ａの一端開口を閉じた端板部４５ｂとを有している。端板部４５ｂにはその表面からくぼむ凹部４５ｃが形成されている。この防水部材４５は、端部材４１の端壁４１ｂの裏面に一体に形成された裏側凸部４６（図５及び図６参照）の内側の凹みに、筒部４５ａを圧入することによって端部材４１に装着されている。
【００２９】
裏側凸部４６の奥壁には筒部４５ａの内部と連通する小孔４６ａが開けられている。図５で代表するように裏側凸部４６の奥壁の裏面に入力用電線コネクタ３７又は出力用電線コネクタ３８がその電線入口（図示しない）を接して配置されている。入力用電線コネクタ３７及び出力用電線コネクタ３８には鎖錠部（図示しない）を有した差込み形のものが使用されている。従って、器具内配線や電源線などの絶縁被覆された電線４７（図５の器具内配線で代表する。）を、防水部材４５に押し込むとともに、この電線４７の電気導体４７ａが小孔４６ａを通って入力用電線コネクタ３７又は出力用電線コネクタ３８に挿入されると、この電気導体４７ａが電気的かつ機械的に接続される。又、こうした電線接続において、電線４７は端板部４５ｂの凹部４５ｃを突き破って筒部４５ａを挿通するので、この電線４７の外周に端板部４５ｂ及び筒部４５ａの内面が弾性的に密接する。これにより、入力用電線コネクタ３７又は出力用電線コネクタ３８に対する電線挿通部に防水のための接着剤を塗布する手間を要することなく、電線挿通部の液密性を確保できる。
【００３０】
一対の端部材４１は、その内部にプリント配線基板３２の端部が挿入されることによって、このプリント配線基板３２を両端支持している。この支持において、端部材４１に収容されたプリント配線基板３２の端部は、図５に示すように基板支持部４２と裏側凸部４６との間に挟まれるように挿入して支持される。これにより、シャーシ２への点灯装置５の取付け状態で、プリント配線基板３２の上下方向の動き規制される。
【００３１】
防水筒５２は、両端が夫々開口された筒状をなし、その周壁は液密構造である。本実施形態では図２および図６に示すように継ぎ目なしの液密構造としてある。防水筒５２は一対の端部材４１にわたる長さを有している。この防水筒５２は、好ましくは電気絶縁性を有し、かつ、熱伝導性を得るためにフィルム状に薄く、しかも、弾性変形が可能な材料、例えばルミラー（商品名）で作られている。
【００３２】
防水筒５２は、その長手方向両端部を夫々端部材４１の外周に嵌合させるとともに、プリント配線基板３２を収容して設けられている。この防水筒５２は、薄く弾性変形が可能であるので、その内部へのプリント配線基板３２の収容作業、及び端部材４１への被嵌作業を容易にできる。この防水筒５２の両端部はカバーチューブ５５を用いて端部材４１に液密に被嵌されている。
【００３３】
すなわち、カバーチューブ５５には熱収縮性のチューブが用いられている。図４、図５、及び図７に示すようにカバーチューブ５５は、防水筒５２の端部と端部材４１の外周とにわたって被嵌されて、この状態で外側から加えられた熱で収縮されている。この収縮によって、防水筒５２の端部が端部材４１の外周面に密着されて、端部材４１周りの液密性が確保されている。このように熱収縮性のカバーチューブ５５を用いて端部材４１と防水筒５２との間の防水を図る構造は、接着を要しないので簡単に行える点で優れている。以上説明した手順で端部材４１周りの防水が形成されると同時に、回路モジュール３１が組立てられる。
【００３４】
組立てられた回路モジュール３１は、図４に示すようにベースケース１２内に組み込まれる。この組込みは、ベース側壁１２ｂを外側に多少押し開きながら行われるので、放熱板３９の板部３９ａが防水筒５２を介して一方のベース側壁１２ｂに密接される。又、ベースケース１２内に組み込まれた回路モジュール３１の両端、つまり、一対の端部材４１の端壁４１ｂにストッパ突起１４が係合し得る状態になるから、これにより、ベースケース１２ひいてはケース体１１に対する回路モジュール３１の長手方向に沿う移動が防止される。
【００３５】
この後、回路モジュール３１を覆ってベースケース１２にカバーケース２１が被される。この状態で、係止爪２２及び位置決め突片２３が曲げ加工されることにより、ケース体１１が組立てられる。こうして点灯装置５の組立てがねじなどの固定部品を用いることなく完了する。この組立てに伴って、カバーケース２１の両端の押え部２４が、ベースケース１２のカバー主壁２１ａに向けて一対の端部材４１を夫々押圧する（図５参照）。それにより、端部材４１がベースケース１２とカバーケース２１との間に上下方向に動かないように挟着される。
【００３６】
前記構成の点灯装置５において、プリント配線基板３２を両端支持した一対の端部材４１に跨った防水筒５２は、それ自体が両端開口を除いて防水性を有していて、プリント配線基板３２を収容している。そして、この防水筒５２の両端部は端部材４１の外周に夫々液密に被嵌されている。更に、端部材４１に対する電線４７の挿通部は、この電線４７が通った防水部材４５で防水されている。こうして端部材４１と防水筒５２との接続部、及び端部材４１に対する電線挿通部の防水が確保されることにより、密閉空間内にプリント配線基板３２を配置できるから、このプリント配線基板３２を確実に防水できる。
【００３７】
この場合、防水部材４５への電線４７の挿通と同時に、この挿通部での防水が図られるので、防水措置として、防水筒５２の両端部を端部材４１の外周に液密に被嵌させるだけでよい。このため、ケース体１１を防水のために利用する構成と比較して、防水措置を要する箇所を減らすことができる。したがって、防水不良を生じる可能性がある場所が減るので、防水性能が損なわれる確率が下がって、屋外や高湿度環境で支障なく使用できる点灯装置５を備えた照明器具１を提供できる。
【００３８】
そして、既述のように防水措置を要する箇所が少ないこととあいまって、ねじなどの固定部品を要することなく、点灯装置５を組み立てることができるので、製造性を向上できるとともに、組立ての機械化にも適している。これにより、点灯装置５のコストを低減できる。
【００３９】
更に、防水筒５２は、防水の機能だけではなく、電気絶縁性を有しているので、プリント配線基板３２に実装された各種電気部品と、金属製のケース体１１との間の電気的絶縁を兼ねることができる。これにより、格別に絶縁部材を用いる場合に比較して部品点数を削減できて、コストダウンが可能である。
【００４０】
又、薄い防水筒５２を介してべースケース１２のベース側壁１２ｂに熱伝導的に接続するので、点灯に伴って初滅するスイッチングトランジスタ３３の熱は、ケース体１１に放出され、更にシャーシ２に熱伝導して放出される。
【００４１】
なお、放電灯点灯装置の長さを短くして小形にするために、例えば防水筒５２に収容されるプリント配線基板３２には、図８（Ａ）又は図８（Ｂ）に示すプリント配線基板３２を用いることが可能である。
【００４２】
図８（Ａ）の例では、プリント配線基板３２が、第１の基板要素３２ａと、第２の基板要素３２ｂと、フレキシブルな配線基板３２ｃとから形成されている。第１の基板要素３２ａはこれに実装された電気部品３６ａ等により例えば入力回路部３１ａを形成し、第２の基板要素３２ｂはこれに実装された電気部品３６ｂ等により出力回路部３１ｂを形成している。第１の基板要素３２ａの一端部と、この一端部に対応した第２の基板要素３２ｂの一端部とは、配線基板３２ｃで電気的に接続されている。第１の基板要素３２ａと第２の基板要素３２ｂとは、それらの部品実装面が互いに向かい合うように積層状態に並べられ、かつ、相互間に絶縁紙等の絶縁シート３０を設けて組み合わされている。絶縁シート３０は図示しない保持手段により第１の基板要素３２ａと第２の基板要素３２ｂとの間の適正位置からずれないように保持される。こうした二分割形のプリント配線基板３２の採用によって、その長さを短くできるから、このプリント配線基板３２を備えた放電灯点灯装置を小形にできる。
【００４３】
図８（Ｂ）の例でも、プリント配線基板３２が、第１の基板要素３２ａと、第２の基板要素３２ｂと、フレキシブルな配線基板３２ｃとから形成されている。第１の基板要素３２ａはこれに実装された電気部品３６ａ等により例えば入力回路部３１ａを形成し、第２の基板要素３２ｂはこれに実装された電気部品３６ｂ等により出力回路部３１ｂを形成している。電気絶縁性を有するフレキシブルな配線基板３２ｃは、第１の基板要素３２ａの一端部と、この一端部に対して反対側に位置する第２の基板要素３２ｂの他端部とを電気的に接続している。この配線基板の３２ｃの中間部は第１の基板要素３２ａと第２の基板要素３２ｂとの間に配置されている。第１の基板要素３２ａと第２の基板要素３２ｂとは、それらの部品実装面が互いに向かい合うように並べられ、かつ、相互間は配線基板３２ｃで電気的に絶縁されている。こうした二分割形のプリント配線基板３２の採用によって、その長さを短くできるから、このプリント配線基板３２を備えた放電灯点灯装置を小形にできる。しかも、フレキシブルな配線基板３２ｃを利用して、積層状態に組み合わされた第１の基板要素３２ａと第２の基板要素３２ｂとを絶縁しているので、格別に絶縁シートを要しない。この部品点数の削減によるコストダウンが可能であるとともに、絶縁シートの保持手段を要しないために形状的にもプリント配線基板３２を小さくすることが可能である。
【００４４】
なお、図８（Ａ）（Ｂ）中符号１２Ｃはベースケース、２１Ｃはカバーケースを示しており、互いの開口をあわせて組み合わされてケース体を形成し、このケース体には２分割形のプリント配線基板３２が収容される。この場合、非防水形の点灯装置とする構成では、防水筒を使用しないで実施すればよい。
【００４５】
本発明は前記一実施形態には制約されない。回路モジュールを保護するケース体を省略して放電灯点灯装置とすることも可能であり、この場合、両端の端部材をクランプなどによりシャーシに取付けるようにするか、端部材にその外側に突出するねじ止め部を設けて、このねじ止め部にねじを通してシャーシに取付けて実施することができる。
【図面の簡単な説明】
【００４６】
【図１】本発明の一実施形態に係る照明器具を一部断面して示す側面図。
【図２】図１の照明器具が備える本発明の一実施形態に係る放電灯点灯装置を分解して示す斜視図。
【図３】図２の放電灯点灯装置の一端部を示す斜視図。
【図４】図３の一端部を分解して示す斜視図。
【図５】図３中Ｆ５−Ｆ５線に沿って示す断面図。
【図６】図２の放電灯点灯装置が有したスイッチングトランジスタ回りを示す断面図。
【図７】図２の放電灯点灯装置が備える回路モジュールの一端部を示す平面図。
【図８】（Ａ）は図２の放電灯点灯装置に組込み可能なプリント配線基板の他の例を示す斜視図。（Ｂ）は図２の放電灯点灯装置に組込み可能なプリント配線基板の更に他の例を示す斜視図。
【符号の説明】
【００４７】
１…照明器具、２…シャーシ、３…蛍光ランプソケット（放電灯ソケット）、６…蛍光ランプ（放電灯）、１１…ケース体、１２…ベースケース、２１…カバーケース、２４…押え部、３１…回路モジュール、３２…プリント配線基板、３３…スイッチングトランジスタ（電気部品）、３４…トランス（電気部品）、３５…トランス（電気部品）、３６…電気部品、３７…入力用電線コネクタ、３８…出力用電線コネクタ、４１…端部材、４５…防水部材、４７…電線、５２…防水筒、５５…カバーチューブ（液密手段）
【図１】
2005259893.tif 000003
【図２】
2005259893.tif 000004
【図３】
2005259893.tif 000005
【図４】
2005259893.tif 000006
【図５】
2005259893.tif 000007
【図６】
2005259893.tif 000008
【図７】
2005259893.tif 000009
【図８】
2005259893.tif 000010